(57)【特許請求の範囲】
【請求項１】
障子框に対向する窓枠の対向面の化粧片間に配置され、且つ、網目部材が収容されたまま取り外し可能な網戸収納ケースと、
このケースと前記障子框間に配置され、且つ、前記障子框の移動に追随して、前記窓枠に設けられた障子用の上下レールを走行する移動桿と、
前記網戸収納ケースに収納され、且つ、前記移動桿に先端側が取付けられた網目部材とを設けたことを特徴とする網戸装置。
【請求項２】
前記障子框に対し、前記移動桿を着脱自在に操作可能な網戸キャッチ及び受けを設けたことを特徴とする請求項１に記載の網戸装置。
【請求項３】
前記網戸キャッチを構成する鎌及び受けは、前記窓枠に設けられた障子用の上下レールが形成する平面内に略位置していることを特徴とする請求項２に記載の網戸装置。
【発明の詳細な説明】
【技術分野】
【０００１】
本発明は、窓等に取付けられる網戸装置に関する。
【背景技術】
【０００２】
網目部材が折畳まれる網戸装置や網目部材が巻取られる網戸装置は、従来から知られている。
例えば、網目部材を窓枠の縦枠に収納するロール式網戸が特許文献１に開示されている。
これらの網戸装置は、網目部材の汚れ等を防止することができる等のメリットが得られる。
【特許文献１】実開平３−４８０９４
【発明の開示】
【発明が解決しようとする課題】
【０００３】
しかし、特許文献１に記載されたロール式網戸については、次のようなデメリットを指摘することができる。
【０００４】
網目部材が窓枠の縦枠に収納されている構造のため、網目部材の交換には室外側の縦枠を取外す必要がある等、そのメンテナンスに手間がかかること、網目部材の上下端と窓枠の上下枠間の各室内外方向にそれぞれ隙間が形成され易く、これらの隙間から虫が侵入してくるため、上記ロール式網戸では溝レールを設けてそこに網目部材の上下端を走行させており、窓枠の構造が複雑になっていること等である。
【０００５】
そこで、本願発明は、上記課題を解決するためになされたもので、網目部材の交換等のメンテナンスが容易であり、窓枠に複雑な構成が要求されることなく既設の窓枠においても取付可能にすることができる網戸装置を提供することを目的とする。
【課題を解決するための手段】
【０００６】
上記課題を解決するため、障子框に対向する窓枠の対向面の化粧片間に配置され、且つ、網目部材が収容されたまま取り外し可能な網戸収納ケースと、このケースと前記障子框間に配置され、且つ、前記障子框の移動に追随して、前記窓枠に設けられた障子用の上下レールを走行する移動桿と、前記網戸収納ケースに収納され、且つ、前記移動桿に先端側が取付けられた網目部材とを設けたことを特徴とする網戸装置とした（請求項１の発明）。
【０００７】
上記構成の網戸装置は、網戸収納ケースを窓枠に外付けできること、カセット式の網戸収納ケースと移動桿とが一体となっていて、網目部材の交換等のメンテナンスが容易である。
【０００８】
上記発明において、前記移動桿は、前記窓枠に設けられた障子用の上下レールを走行することを特徴とする網戸装置としたので、この構成により、既設の窓枠をそのまま使用することができ、窓枠に複雑な構成が要求されることがない。
【０００９】
前記障子框に対し、前記移動桿を着脱自在に操作可能な網戸キャッチ及び受けを設けたことを特徴とする請求項１に記載の網戸装置とした（請求項２の発明）。
【００１０】
冬季等、防虫対策が不要な季節では、障子框と移動桿を分離させることにより、窓からの視界を良好にすることができる。
【００１１】
また、テラスタイプ窓の場合に、ベランダ等への出入りの際に使い勝手のよい網戸装置にすることができる。
【００１２】
上記発明において、前記網戸キャッチ及び受けは、前記窓枠に設けられた障子用の上下レールが形成する平面内に略位置していることを特徴とする網戸装置とした（請求項３の発明）。
この構成により、前記障子框の移動に追随する移動桿の走行動作を円滑に行える。
【発明の効果】
【００１３】
本発明によれば、網目部材の交換等のメンテナンスが容易であり、窓枠に複雑な構成が要求されることなく既設の窓枠においても取付可能にすることができる網戸装置を提供することができる。
【発明を実施するための最良の形態】
【００１４】
本発明に係る網戸装置の実施形態を図面に基いて説明する。
図１〜図３はそれぞれ網戸装置を取付けたテラスタイプ窓の正面図であって、図１は障子閉鎖状態の正面図、図２は外障子を開放した換気状態の正面図、図３は内障子を開放した換気状態の正面図である。
図４は図１に対応する横断面図、図５は同縦断面図、図６は網戸装置の斜視図である。
図７は網戸装置を構成する網戸収納ケースの横断面図及び網戸収納ケースの取付位置を図示した要部断面図、図８は図４をＡ及びＡ´方向に矢視した場合の断面図、図９は図４をＢ及びＢ´方向に矢視した場合の断面図である。
図１０は網戸キャッチとその受けの断面図、図１１は同網戸キャッチの要部断面図である。
これらの各図において、同一の構成は同一の符号を付して重複した説明を省略する。
【００１５】
前記網戸装置１は、図１〜図３に示したように、テラスタイプの窓に設置されているもので、図４に示したように、内外障子２、３の各障子框２０、３０に対向する窓枠４の対向面４０に配置される網戸収納ケース５、５と、このケース５、５と前記各障子框２０、３０間に配置され、且つ、前記各障子框２０、３０の移動に追随する移動桿６、６と、前記網戸収納ケース５、５に収納され、且つ、前記移動桿６，６に先端側が取付けられた網目部材７と、前記各障子框２０、３０に対し、前記移動桿６、６を着脱自在に操作可能な網戸キャッチ８及び受け９を設けて構成されている。
前記内外障子２、３及びこれらに配置されている各網戸装置１は略同一の構成であるので、主に外障子３の網戸装置１の構成例を説明する。
【００１６】
前記網戸収納ケース５は、図６に示したように、ケース本体５０と、このケース本体５０を窓枠４の対向面４０に固定するための固定片５１と、前記ケース本体５０の上下端を塞ぐ上下キャップ５２、５３からなる。
前記ケース本体５０は、図６及び図７に示したように、その横断面形状が略４角形であって、長尺状の筒部５００と、この筒部５００に収容される網目部材７が出没可能な出没口５０１から構成されている。
前記出没口５０１は、前記筒部５００の略４角形の一辺５０２を長尺方向に沿って、切欠いて形成される対向する左右の自由端５０３、５０４により構成されている。各自由端５０３、５０４の長尺方向の高さ寸法は長尺方向の筒部５００の高さ寸法に一致して、また各自由端５０３、５０４間の幅寸法は前記一辺５０２の略半分に形成されている。より具体的には各自由端５０３、５０４は長短に形成され、長自由端５０３は前記一辺５０２の端部から一辺５０２の略半分に延出された長さであり、短自由端５０４は前記一辺５０２の他方の端部から若干の幅でフック状に延出された長さである。
前記対向する各自由端５０３、５０４の各延出部分は、図７のように略同一平面上に位置するものではなく短自由端５０４が内側に、長自由端５０３が外側に若干（延出部分の肉厚程度に）ずれて、略平行に位置している。
よって、窓枠４の障子用の上下レール４１，４２に隣接する短自由端５０４を上下レール４１，４２の室外側面４１０，４２０の延長線４１１上に略位置させる配置により、図６に示したように前記網目部材７の上下端７０、７１が上下レール４１、４２の室外側面４１０、４２０にそれぞれ略接する如く、開閉幕されるのみならず、網目部材７全体がスムースに開閉幕される。また、網目部材７が正圧方向の風を受けると、上下端７０、７１がより強く上下レール４１、４２に接するので、より優れた防虫性能を発揮する。
或いは、前記出没口５０１が室外側の端部に臨んでいても、網目部材７が巻き径の外側から自由端５０３、５０４に接することなく出没し、前記長自由端５０３から前記短自由端５０４に向って辷り出たり、前記短自由端５０４から前記長自由端５０３に向って辷り入る網目部材７のスムースな出没が可能となっている。また、開閉時の外障子３の初動が軽くなり、操作性が向上する。
【００１７】
前記固定部５１は、前記出没口５０１の長自由端５０３に隣接する一辺５０５を外側に延長するように形成され、その高さ寸法は前記筒部５００の高さ寸法より短くなっている。
【００１８】
前記上下キャップ５２，５３は、図６のように前記筒部５００の上下端において、前記出没口５０１に近い隅部に上下レール４１，４２と前記筒部５００の外面間のギャップを埋めるための突起５２０、５３０を設けると共に、それぞれ３箇所の隅部で止着されている。
【００１９】
以上のように構成された網戸収納ケース５は、図８に示したように窓枠４の上下枠４３、４４間の高さと略同一の高さ寸法にて、その下キッャプ５３を下枠４３に置き、前記固定片５１を縦枠４５に当接させ固定されることによって、窓枠４に取り付けられる。
なお、上述のように前記網戸収納ケース５の固定位置は、窓枠４の上下レール４１、４２の室外側面４１０、４２０と、前記短自由端５０４の外側面が略同一直線上にあること、前記長自由端５０３の内側の面が、前記上下レール４１、４２の室外側面４１０、４２０より室外側に位置することが望ましい。
【００２０】
前記移動桿６は、図６に図示したように、本体６０と、この本体６０の上下端に取付けられた上下キャップ６１、６２からなる。
前記本体６０は、網目部材７の先端が取付けられる取付部６００と、前記ケース５に対向するケース対向部６０１（図４参照）と、障子框３０に対向する框対向部６０２（図９も参照）を備えている。
前記取付部６００は、図４に示したように、前記ケース対向部６０１の室外側端部から略直角にケース５側に、且つ、板状に形成され、その室内側には網目部材７の先端をプレート７２により折曲げて取付けることができる取付溝部６０３が設けられている。
前記框対向部６０２には、障子框３０側の網戸キッャチ８の鎌を受ける受け９が２箇所に設けられている。またケース対向部６０１には、緩衝材６０４が取り付けられている。
【００２１】
前記上キャップ６１は、図６に示したように前記本体６０の上端を塞ぐ底面部６１０と、この底面部６１０から下方に形成されて前記本体６０に埋込まれる足部（図示せず）と、上レール４１を跨ぐため上方に開いた凹部６１１と、前記本体６０の取付部６００、ケース対向部６０１及び框対向部６０２に連続させるキャップ取付部６１２と、キャップケース対向部６１３及びキャップ框対向部６１４をそれぞれ備えている。
前記キャップ取付部６１２には、前記取付部６００と同様に、キャップケース対向部６１３から略直角に形成され、その内側には前記取付溝部６０３と同様の溝部（図示せず）が形成されている。
前記下キャップ６２は前記上キャップ６１と対称的な位置関係において略同様に構成されている。
【００２２】
上記のように構成された移動桿６は、図９に示したように、その長尺方向の高さ寸法が前記上下凹部６１１、６２１が上下レール４１，４２に係止される高さを備え、前記上下レール４１，４２を走行する。
【００２３】
そして、上記構成の移動桿６と網戸収納ケース５とが当接する場合には、移動桿６の各取付部６００、６１２、６２２が前記網戸収納ケース５の出没口５０１に至り、これを略塞ぐようになっている。
また、障子框３０の網戸キッャチ８と移動桿６の受け９が係合している場合には、移動桿６が外障子３の開閉に追随して移動され、その際に前記上下キャップ６１、６２の各取付部６１２、６２２の各溝部が上下レール４１、４２の室外側面４１０、４２０に略接しつつ、移動するようになっている。
【００２４】
前記網目部材７は、その基端が前記網戸収納ケース５の筒部５００内の回転軸に取り付けられ、その先端が上記のように前記移動桿６の本体６０の取付部６００及び上下キャップ６１、６２の各取付部６１２、６２２に取り付けられ、閉幕される方向（回転軸方向）に付勢されている。
そして、上述のように前記上下キャップ６１、６２の各溝部が上下レール４１、４２の室外側面４１０、４２０に略接しつつ移動するようになっていることから、網目部材７の上下の各端部と前記上下レール４１、４２の室外側面４１０、４２０とが接することにより隙間が形成され難くなっている。
【００２５】
前記網戸キッャチ８は、図１０及び図１１に図示したように、内外の操作レバー８０、８１と、それらの脚部８００，８１０に固定されたキャッチ本体８２と、この本体８２に連結された連動プレート８３と、この連動プレート８３に固定された鎌８４と、連動プレート８３の昇降をガイドする連動プレートガイド８５からなる。前記連動プレート８３には図示されていない他の鎌が固定され、前記内外の操作レバー８０、８１の昇降動作に連動して上下の鎌８４等が昇降され、前記受け９、９と鎌８４等との係合操作がされるようになっている。
前記網戸キッャチ８の鎌８４及び前記受け９は、図４、図６、図９等に図示されているように、前記上下レール４１、４２が形成する平面内に略位置している。
【００２６】
これらの前記網戸キッャチ８及び受け９の構成は、建物の開口部の大きさによって変更される。即ち、窓がテラスタイプであれば上記構成になるが、腰窓タイプであれば、内外の操作レバー８０、８１の内、外側の操作レバー８１を省くことができる。また１台の鎌８４をキャッチ本体８２に固定すればよく、連動プレート８３等を省くことができる。
さらに、前記網戸キッャチ及び受けの各構成を省略して障子框と移動桿とを固定するようにしてもよい。
【００２７】
前記障子框３０には、これに係合されている移動桿６に対する視線を遮る化粧片３１、３１を設け、同様に、前記縦枠４５には、これに固定されている網戸収納ケース５に対する視線を遮る化粧片４６、４６を設けている（図１０参照）。なお、図１０等で図示されている符号「４７」の部材は、障子框３０と窓枠４との気密状態を向上させるために、障子框３０を窓枠４に引寄せるための金具である。
【００２８】
以上のように構成された網戸装置１の取付方法は次の通りである。
取付段階の網戸装置１の姿は、網戸収納ケース５に網目部材７が収納されており、その先端に移動桿６が取付られているものである。
まず、窓枠４の上下レール４１、４２の各端部を前記網戸収納ケース５の一辺５０２の長さより若干長く切り欠く。
次ぎに、前記網戸収納ケース５と前記移動桿６を上下レール４１、４２の室内側にセットし、前記移動桿６を上下レール４１、４２の室外側に位置させ、前記移動桿６を左右何れかの方向に振り傾むけつつ、各上下キャップ６１、６２の取付部６１２，６２２を上下レール４１，４２に跨がせ、前記移動桿６を起立させて各レール４１，４２に係合させる。
次ぎに前記筒部５００の短自由端５０４の外側面が上下レール４１，４２の室外側面４１０，４２０に略平行になるように、網戸収納ケース５の固定片５１を縦枠４５に固定する。網戸装置１の取外し法は、上記手順の逆手順でよい。
【００２９】
上記のように構成された網戸装置の使用方法を図１２〜図１５に基づいて説明する。
図１２は、前記網戸キッャチ８と受け９の係合状態が解除された状態の窓の横断面図が示されている。
前記網戸キッャチ８と受け９は、通常は係合状態が維持されているが、前記操作レバー８０の上昇操作により、係合状態を解除することができる。
この使用状態では、網目部材７が網戸収納ケース５に収納されており、窓からの視界が網目部材７に妨げられることはなく、また、ベランダ、テラス等への出入りに支障が生じないようになっている。なお、符号「４８」は内外障子２、３の移動を規制するストッパである。
図１３は、前記網戸キッャチ８と受け９の係合状態が維持され、且つ、内外障子２、３を半開きにしている状態の窓の横断面図が示されている。
この使用状態では、換気可能であって、防虫機能が発揮されている。
図１４は、前記網戸キッャチ８と受け９の係合状態が維持され、且つ、外障子３を全開にしている状態の窓の横断面図が示されている。
この図１４の外障子３を全開にした状態及び図１３の内外障子２、３を半開きにしている状態において、前記網目部材７の付勢力に対し、この反対方向の力が拮抗するように前記付勢力を調整すればよい。
図１５は、前記網戸キッャチ８と受け９の係合状態が維持され、且つ、内外障子２、３を全閉にしている状態の窓の横断面図が示されている。
【００３０】
以上のように構成された網戸装置では、次のように効果を奏する。
１．網目部材７を収納したカセット式の網戸収納ケース５と移動桿６とが一体となっていて、網戸収納ケース５はその固定片５１を窓枠４の縦枠４５（対向面４０）に固定し、移動桿６の上下端６１、６２を窓枠４の上下レール４１、４２に跨がせればよく、縦枠４５に外付けが容易である。
また、取り外しは上記の逆手順でよいので、網目部材７の交換等のメンテナンスが容易である。
２．移動桿６は、その下端６１、６２が窓枠４の上下レール４１、４２を走行するので、既設のレールを利用でき、窓枠の構成を複雑にする必要がない。
３．網目部材７が網戸収納ケース５に収納されていれば、窓からの視界が遮られることはなく、また網目部材７の汚れを抑えことができる。
特に、前記移動桿６と前記網戸収納ケース５とが当接する場合には、移動桿６の各取付部６００、６１２、６２２が前記網戸収納ケース５の出没口５０１に至り、これを略塞ぐようになっているので、網目部材７の汚れを抑えことができる。
４．前記上下キャップ６１、６２の各溝部が上下レール４１、４２の室外側面４１０、４２０に略接しつつ移動するようになっていることから、網目部材７の上下の各端部と前記上下レール４１、４２の室外側面４１０、４２０間に隙間が形成され難くなっており、網目部材７の上下端部から虫が侵入することを防ぐことができる。
５．前記戸収納ケース５の長自由端５０３から前記短自由端５０４に向って網目部材７が辷り出たり、前記短自由端５０４から前記長自由端５０３に向って辷り入る網目部材７のスムースな出没が可能となっている。
６．網戸収納ケース５と移動桿６は縦枠４５及び障子框３０の見込幅内にセットできるので、コンパクトな構成となっている。
７．前記網戸キッャチ８と受け９は、通常は係合状態が維持されているので、無意識に内外障子２、３を開放しても、窓辺に置かれた小物等が室外に落下することを防止できる。
【００３１】
上記実施形態は、テラスタイプの窓について使用する網戸装置の構成例を説明したが窓の構成はどのようなものでよい。
例えば図１６に示したように、片引きタイプの窓でもよい。
その他、窓に限定されるものでもなく、玄関等の建物の開口部にも取り付けることができる。
【図面の簡単な説明】
【００３２】
【図１】網戸装置を取付けたテラスタイプ窓の正面図、
【図２】外障子を開放した換気状態の正面図、
【図３】内障子を開放した換気状態の正面図、
【図４】図１に対応する横断面図、
【図５】同縦断面図、
【図６】網戸装置の斜視図、
【図７】網戸装置を構成する網戸収納ケースの横断面図及び網戸収納ケースの取付位置を図示した要部断面図、
【図８】図４のＡ及びＡ´方向に矢視した場合の断面図、
【図９】図４のＢ及びＢ´方向に矢視した場合の断面図、
【図１０】網戸装置を構成する網戸キャッチとその受けの断面図、
【図１１】同網戸キャッチの要部断面図、
【図１２】網戸キッャチと受けの係合状態が解除された状態の窓の横断面図、
【図１３】網戸キッャチと受けの係合状態が維持され、且つ、内外障子を半開きにしている状態の窓の横断面図、
【図１４】網戸キッャチと受けの係合状態が維持され、且つ、外障子を全開にしている状態の窓の横断面図、
【図１５】網戸キッャチと受けの係合状態が維持され、且つ、内外障子を全閉にしている状態の窓の横断面図、
【図１６】別例の窓の横断面図。
【符号の説明】
【００３３】
１  網戸装置                          ２、３  内外障子
２０、３０  障子框                    ４  窓枠
５  網戸収納ケース                    ６  移動桿
７  網目部材                          ８  網戸キャッチ
９  受け
３１、３１  化粧片
４０  対向面
４１，４２  上下レール                ４３、４４  上下枠
４５  縦枠                            ４６、４６  化粧片
４７  引寄金具
４１０、４２０  上下レール室外側面
５０  ケース本体                      ５１  固定片
５２、５３  上下キャップ
５００  筒部                          ５０１  出没口
５０２  一辺                          ５０３、５０４  自由端
５０５  一辺
５２０、５３０  突起
６０  本体                            ６１、６２  上下キャップ
６００  取付部                        ６０１  ケース対向部
６０２  框対向部                      ６０３  取付溝部
６０４  緩衝材                        ６１０  底面部
６１１、６２１  凹部                  ６１２  取付部
６１３  キャップケース対向部          ６１４  キャップ框対向部
７０、７１  網目部材の上下端
７２  プレート
８０、８１  内外の操作レバー
８００，８１０  脚部                  ８２  キャッチ本体
８３  連動プレート                    ８４  鎌
８５  連動プレートガイド
【図１】
0004838043.tif 000002
【図２】
0004838043.tif 000003
【図３】
0004838043.tif 000004
【図４】
0004838043.tif 000005
【図５】
0004838043.tif 000006
【図６】
0004838043.tif 000007
【図７】
0004838043.tif 000008
【図８】
0004838043.tif 000009
【図９】
0004838043.tif 000010
【図１０】
0004838043.tif 000011
【図１１】
0004838043.tif 000012
【図１２】
0004838043.tif 000013
【図１３】
0004838043.tif 000014
【図１４】
0004838043.tif 000015
【図１５】
0004838043.tif 000016
【図１６】
0004838043.tif 000017